(57)【要約】【課題】光素子に対して近接・後退する方向への光結合素子の位置ずれを抑制する。【解決手段】モジュール基板３０上には、複数の光素子３２とＩＣ３４が実装されており、モジュール基板３０上にカバー３６が接合されている。カバー３６には、レンズアレイ５０が取り付けられる凹状の取付部３７と、取付部３７と連続する位置に光コネクタ２２のフェルール７２が挿入される挿入部４０が設けられている。取付部３７の長手方向両側の縦壁部３７Ｂ、３７Ｃの上縁部には、取付部３７の開口側に張り出した左右一対の突起３８が形成されている。レンズアレイ５０の上面部５０Ｄには、レンズアレイ５０をカバー３６の取付部３７に取り付けたときに、縦壁部３７Ｂ、３７Ｃの突起３８が係合される左右一対の窪み部５８が形成されている。【選択図】図３
2011247952.tif 000002
【特許請求の範囲】
【請求項１】
光信号を発信又は受信する光素子が搭載された基板に接合される保持部材と、
前記保持部材を開口して形成した取付部に取り付けられ、前記光素子と前記保持部材に装着され光信号を伝送する光伝送体とを光学的に結合可能とする光結合素子と、
前記保持部材に設けられ、前記光結合素子の前記取付部への取付時に前記光結合素子に形成された被係合部に係合され、前記光素子と近接・後退する方向への前記光結合素子の位置ずれを規制する係合部と、
を有する光モジュール。
【請求項２】
前記被係合部は、前記光結合素子の前記基板と反対側の面の両端部に形成された窪み部であり、
前記係合部は、前記取付部に形成され前記窪み部が係合する突起である請求項１に記載の光モジュール。
【請求項３】
前記光結合素子の前記基板と対向する面に、前記光結合素子の前記取付部への取付時に前記基板に接触又は近接するように設けられ、前記基板に接触して前記光結合素子の転倒又は傾きを規制する傾き規制部を備える請求項１又は請求項２に記載の光モジュール。
【請求項４】
前記傾き規制部は、前記光結合素子の前記基板と対向する面から前記基板の側に突出する一対の脚部である請求項３に記載の光モジュール。
【請求項５】
前記光結合素子は矩形状に形成されており、
前記取付部は、前記光結合素子の隣り合う少なくとも３面にそれぞれ接合される取付部用接合面を備える請求項１から請求項４までのいずれか１項に記載の光モジュール。
【請求項６】
前記光結合素子の前記３面と前記取付部用接合面との隙間に接着剤が充填されている請求項５に記載の光モジュール。
【請求項７】
前記保持部材に前記光伝送体が着脱可能に装着される構成とされている請求項１から請求項６までのいずれか１項に記載の光モジュール。
【発明の詳細な説明】
【技術分野】
【０００１】
本発明は、光伝送体と光素子とを光学的に接続する光モジュールに関する。
【背景技術】
【０００２】
従来、光電変換装置に設けられた光素子と光ファイバとを光学的に結合する光結合素子を備えた光モジュールが提案されている。
【０００３】
例えば、下記特許文献１には、回路基板上に実装された複数の受光素子と対向するようにスペーサを介して光路変換型光結合素子を配設し、光路変換型光結合素子にスペーサを介して光ファイバが固定された光コネクタを装着した構成が開示されている。この構成では、光路変換型光結合素子のガイド孔および回路基板の位置決め孔にガイドピンを嵌合させ、光コネクタの位置決め孔および光路変換型光結合素子のガイド孔にガイドピンを嵌合させることにより、光路変換型光結合素子を位置決めしている。
【先行技術文献】
【特許文献】
【０００４】
【特許文献１】特開２００５−３１５５６号公報
【発明の概要】
【発明が解決しようとする課題】
【０００５】
しかしながら、上記特許文献１による場合、回路基板上にスペーサを介して光路変換型光結合素子が装着されており、光コネクタを光路変換型光結合素子に装着するときに、光コネクタに押されて光路変換型光結合素子が回路基板（複数の受光素子）に対して上下方向に煽られることにより光路変換型光結合素子の位置ずれが発生する可能性がある。
【０００６】
本発明は上記事実を考慮し、光素子に対して近接・後退する方向への光結合素子の位置ずれを抑制することができる光モジュールを得ることが目的である。
【課題を解決するための手段】
【０００７】
上記目的を達成するために、請求項１の発明に係る光モジュールは、光信号を発信又は受信する光素子が搭載された基板に接合される保持部材と、前記保持部材を開口して形成した取付部に取り付けられ、前記光素子と前記保持部材に装着され光信号を伝送する光伝送体とを光学的に結合可能とする光結合素子と、前記保持部材に設けられ、前記光結合素子の前記取付部への取付時に前記光結合素子に形成された被係合部に係合され、前記光素子と近接・後退する方向への前記光結合素子の位置ずれを規制する係合部と、を有するものである。
【０００８】
本発明によれば、光素子が搭載された基板に保持部材が接合されており、保持部材を開口して形成した取付部に光結合素子が取り付けられている。保持部材には光伝送体が装着され、光結合素子により光素子と光伝送体とが光学的に結合可能とされる。光結合素子を取付部に取り付けたときに、保持部材に設けられた係合部が光結合素子に形成された被係合部に係合されており、係合部によって基板と近接・後退する方向への光結合素子の位置ずれが規制される。このため、光伝送体を保持部材に装着するときに、光伝送体に押されて光結合素子が光素子と近接・後退する方向へ煽られることが抑制され、光素子と近接・後退する方向への光結合素子の位置ずれが抑制される。
【０００９】
また、上記目的を達成するために、請求項２の発明に係る光モジュールは、請求項１に記載の発明において、前記被係合部は、前記光結合素子の前記基板と反対側の面の両端部に形成された窪み部であり、前記係合部は、前記取付部に形成され前記窪み部が係合する突起であるものである。
【００１０】
本発明によれば、光結合素子の基板と反対側の面の両端部に窪み部が形成されており、光結合素子を取付部に取り付けたときに、取付部に形成された突起が光結合素子の両端部の窪み部にそれぞれ係合されている。このため、光伝送体を保持部材に装着するときに、光伝送体に押されて光結合素子が光素子と近接・後退する方向へ煽られることによる位置ずれがより確実に抑制される。
【００１１】
また、請求項３の発明に係る光モジュールは、請求項１又は請求項２に記載の発明において、前記光結合素子の前記基板と対向する面に、前記光結合素子の前記取付部への取付時に前記基板に接触又は近接するように設けられ、前記基板に接触して前記光結合素子の転倒又は傾きを規制する傾き規制部を備えるものである。
【００１２】
本発明によれば、光結合素子の基板と対向する面に、光結合素子の取付部への取付時に基板に接触又は近接するように傾き規制部が設けられており、光伝送体を保持部材に装着するときに、傾き規制部が基板に接触することにより光結合素子の転倒又は傾きが規制される。このため、光伝送体を光結合素子に装着するときに、光伝送体に押されて光結合素子が傾き又は転倒することが抑制される。
【００１３】
また、請求項４の発明に係る光モジュールは、請求項３に記載の発明において、前記傾き規制部は、前記光結合素子の前記基板と対向する面から前記基板の側に突出する一対の脚部であるものである。
【００１４】
本発明によれば、光結合素子の基板と対向する面から基板の側に一対の脚部が突出しており、光伝送体を保持部材に装着するときに、一対の脚部が基板に接触することにより、光伝送体に押されて光結合素子が傾き又は転倒することがより確実に抑制される。
【００１５】
請求項５の発明に係る光モジュールは、請求項１から請求項４までのいずれか１項に記載の発明において、前記光結合素子は矩形状に形成されており、前記取付部は、前記光結合素子の隣り合う少なくとも３面にそれぞれ接合される取付部用接合面を備えるものである。
【００１６】
本発明によれば、光結合素子を取付部に取り付けたとき、矩形状の光結合素子の隣り合う少なくとも３面が、取付部に形成された取付部用接合面にそれぞれ接合される。これによって、光結合素子の位置ずれの発生がさらに抑制される。また、光結合素子と接合される取付部用接合面の面積を広くすることができ、光結合素子から取付部用接合面への放熱が促進される。
【００１７】
請求項６の発明に係る光モジュールは、請求項５に記載の発明において、前記光結合素子の前記３面と前記取付部用接合面との隙間に接着剤が充填されているものである。
【００１８】
本発明によれば、光結合素子の３面と取付部用接合面との隙間に接着剤が充填されることにより、光結合素子が取付部に強固に固定される。また、光結合素子の３面と取付部用接合面との隙間を適切に設定することで、接着剤の厚みを調整でき、光結合素子と取付部用接合面との接着強度を上げると共に、光結合素子と保持部材の線膨張係数の差による接着剤へのクラックの発生が抑制される。
【００１９】
請求項７の発明に係る光モジュールは、請求項１から請求項６までのいずれか１項に記載の発明において、前記保持部材に前記光伝送体が着脱可能に装着される構成とされているものである。
【００２０】
本発明によれば、保持部材に光伝送体が着脱可能に装着される構成とされており、保持部材に光伝送体を着脱するときに、光伝送体に押されて光結合素子が光素子と近接・後退する方向へ煽られることによる光結合素子の位置ずれが抑制される。
【発明の効果】
【００２１】
本発明によれば、光素子に対して近接・後退する方向への光結合素子の位置ずれを抑制することができる。
【図面の簡単な説明】
【００２２】
【図１】本発明の一実施形態に係る光モジュールが適用される並列光伝送装置の概略構成を示す縦断面図である。
【図２】並列光伝送装置の概略構成を示す分解斜視図である。
【図３】光モジュールに光コネクタを装着した状態を示す斜視図である。
【図４】光モジュールの概略構成を示す分解斜視図である。
【図５】光モジュールに光コネクタを装着した状態を示す縦断面図である。
【図６】光モジュールに光コネクタを装着した状態を示す平面図である。
【図７】光モジュールに用いられるカバーおよびレンズアレイを示す斜視図である。
【図８】光モジュールに用いられるカバーにレンズアレイを取り付けた状態を示す斜視図である。
【図９】レンズアレイ単体を示す斜視図である。
【図１０】光モジュールに用いられるモジュール基板およびレンズアレイの配置状態を示す斜視図である。
【図１１】光モジュールに用いられるカバーにレンズアレイを取り付けた状態を図８と逆の方向から見た示す透視斜視図である。
【図１２】光モジュールに用いられるカバーにレンズアレイを取り付けた状態を示す側面図である。
【発明を実施するための形態】
【００２３】
以下、図１〜図１２を用いて、本発明の光モジュールの一実施形態について説明する。
【００２４】
図１には、光モジュールが適用された並列光伝送装置の全体構成が縦断面図にて示されている。また、図２には、並列光伝送装置が分解斜視図にて示されている。これらの図に示されるように、並列光伝送装置１０は、図１中の下方側に配置される下側パッケージ１２と、下側パッケージ１２の上方側を覆う上側パッケージ１４と、これらの下側パッケージ１２および上側パッケージ１４の内部の上方側に収容される送信側の光モジュール１６と、光モジュール１６の下方側に収容される受信側の光モジュール１８と、を備えている。
【００２５】
さらに、並列光伝送装置１０は、光モジュール１６の下方に装着される送信側電気基板２０（ＰＣＢ：Printed Circuit Board）と、光モジュール１６の側方に装着される光伝送体としての光コネクタ２２と、光モジュール１８の上方に装着される受信側電気基板２４（ＰＣＢ）と、光モジュール１８の側方に装着される光コネクタ２６と、を備えている。光モジュール１６は電気信号を光信号に変換する機能を有しており、光モジュール１８は光信号を電気信号に変換する機能を有している。
【００２６】
図３〜図６に示されるように、光モジュール１６は、モジュール基板３０と、モジュール基板３０に形成された電極パターン上に実装された複数の光素子３２（アレイ素子）と、モジュール基板３０の電極パターン上に実装されたＩＣ３４と、モジュール基板３０の上方を覆う保持部材としてのカバー３６と、カバー３６に形成された凹状の取付部３７に取り付けられ、光素子３２の上方に配置された光結合素子としてのレンズアレイ５０と、を備えている。
【００２７】
ＩＣ３４は、モジュール基板３０の一面（表面）上にフリップチップ実装（ＦＣＢ：Flip Chip Bonding）されており、複数の光素子３２とボンディングワイヤにより電気的に接続されている。
【００２８】
モジュール基板３０は、セラミック基板である。モジュール基板３０の一面（表面）上には、２つの差動信号用端子を１組とし、チャネル数（本例では１２ｃｈ）と同数の複数組の差動信号用端子と、ＩＣへ電源供給するための複数の電源供給用端子と、ＩＣへ制御信号を供給するための複数の制御信号供給用端子と、グランドパターンとが形成されている。モジュール基板３０の他面には、一面上にある複数組の差動信号用端子、複数の電源供給用端子および複数の制御信号供給用端子とそれぞれ電気的に接続された複数の端子（差動信号用端子、電源供給用端子および制御信号供給用端子）と、一面上にあるグランドパターンと電気的に接続されたグランドパターンが形成されている。
【００２９】
複数の光素子３２は、一列に整列された複数の面発光型半導体レーザ素子を有するレーザダイオードアレイで構成されている。光素子としての面発光型半導体レーザ素子は、基板面に垂直な方向（図５の上方）に光（光信号）を射出するＶＣＳＥＬ（Vertical Cavity Surface Emitting Laser）である。また、ＩＣ３４は、複数の光素子３２を駆動するドライバＩＣである。
【００３０】
カバー３６は、金属製（例えば、ステンレススチールなど）の板状部材であり、直方体状のレンズアレイ５０を取り付けるための略３面の窪み形状からなる取付部３７を備えている。カバー３６の取付部３７の上下は開口されている。カバー３６の下面部は、モジュール基板３０の一面（表面）上に接着剤（図示省略）で接合されており、取付部３７にレンズアレイ５０が取り付けられた状態で、レンズアレイ５０がモジュール基板３０上の複数の光素子３２と対向する位置に配置されている（図５参照）。
【００３１】
カバー３６の取付部３７は、レンズアレイ５０の長手方向に沿った側壁部５０Ａと対向する取付部用接合面としての奥側の縦壁部３７Ａと、レンズアレイ５０の長手方向両端部の側壁部５０Ｂと対向する取付部用接合面としての左右一対の縦壁部３７Ｂ、３７Ｃと、を備えている（図６参照）。縦壁部３７Ａと縦壁部３７Ｂとの角部、および縦壁部３７Ａと縦壁部３７Ｃとの角部には、湾曲形状に窪んだ凹状湾曲面３７Ｄが形成されている。また、縦壁部３７Ｂ、３７Ｃの上縁部には、取付部３７の長手方向内側（開口側）に張り出した係合部としての左右一対の突起３８が形成されている。また、縦壁部３７Ａの下縁部には、取付部３７の内側（開口側）に突出した突出部３９が形成されている。
【００３２】
カバー３６の取付部３７と連続する位置には、光コネクタ２２のフェルール７２（ＭＴフェルール）が挿入される挿入部４０が設けられている。挿入部４０は、縦壁部３７Ｂと縦壁部３７Ｃの間隔よりも広く形成された縦壁部４０Ａと縦壁部４０Ｂを備えている。挿入部４０の上下は開口されている。縦壁部３７Ｂと縦壁部４０Ａとの間、縦壁部３７Ｃと縦壁部４０Ｂとの間は、湾曲凹状の段差が形成されている。挿入部４０の挿入口側の下部には、縦壁部４０Ａと縦壁部４０Ｂとの間に連結板４２が架け渡されている。
【００３３】
カバー３６の取付部３７が設けられた位置の両側の側面部には、後述するクリップ８０の係止部８０Ｃが係止される凹部４４が形成されている。また、カバー３６の取付部３７が設けられた位置と反対側の上面には、切り欠き部３６Ａが設けられており、カバー３６の上下方向の厚みが薄く形成されている。また、カバー３６の下面には、モジュール基板３０上のＩＣ３４との干渉を回避するための穴部３６Ｂが形成されている。
【００３４】
図３〜図６に示されるように、光コネクタ２２は、複数本（本例では１２本）の光ファイバが一列に配置されたテープファイバ７０と、複数本の光ファイバを保持した多心用のフェルール７２（ＭＴフェルール）と、を備えている。光コネクタ２２（ＭＴコネクタ）のテープファイバ７０は、光モジュール１６との間で光信号を並列に伝送する。
【００３５】
レンズアレイ５０は、複数の光素子３２からそれぞれ垂直な方向に射出される光（光信号）を９０度曲げた後、光コネクタ２２のフェルール７２に保持された複数本の光ファイバの各端面に光結合させるものである。図５に示されるように、レンズアレイ５０は、カバー３６の取付部３７への取付時にモジュール基板３０と対向する位置に配置される一方のマイクロレンズアレイ５２と、光コネクタ２２のフェルール７２と対向する位置に配置される他方のマイクロレンズアレイ５４と、マイクロレンズアレイ５２とマイクロレンズアレイ５４の間に配設された反射板５６と、を備えている。マイクロレンズアレイ５２、５４には、複数（本例では１２個）のマイクロレンズがそれぞれ一列に配置されている。レンズアレイ５０は樹脂製である。
【００３６】
反射板５６は、レンズアレイ５０の下面部５０Ｃ（モジュール基板３０と対向する面）に対して約４５度で傾斜するように配置されており、レンズアレイ５０の反射板５６の上方側には空間Ｓが形成されている。反射板５６は、レンズアレイ５０の空間Ｓ内の空気との屈折率の差を利用して光を反射させるものである。レンズアレイ５０は、各光素子３２から垂直な方向に射出される光をそれぞれマイクロレンズアレイ５２を介して反射板５６に入射し、反射板５６で反射させ、その反射光をマイクロレンズアレイ５４で集光して光コネクタ２２のフェルール７２に保持された複数本の光ファイバの端面に光結合させるようになっている。
【００３７】
図７および図８に示されるように、レンズアレイ５０の上面部５０Ｄの長手方向両側には、カバー３６の取付部３７への取付時に、縦壁部３７Ｂ、３７Ｃの上縁部に形成された左右一対の突起３８が係合される被係合部としての左右一対の窪み部５８が形成されている。窪み部５８は、レンズアレイ５０の上面部５０Ｄの長手方向両側の辺の一部（マイクロレンズアレイ５４が設けられた側と反対側）にのみ設けられており、マイクロレンズアレイ５４が設けられた側には形成されていない。これは、カバー３６の取付部３７とレンズアレイ５０との間に接着剤を充填するときに、接着剤がマイクロレンズアレイ５４側に流れるのを防止するためである。また、カバー３６の突起３８とレンズアレイ５０の窪み部５８との間にも接着剤を充填する。接着剤を充填することで、レンズアレイ５０が前後への動きに強くなる。また、接着剤の種類としては、フィラー入り加熱硬化型エポキシ接着剤などが用いられる。
【００３８】
レンズアレイ５０は、カバー３６の取付部３７に挿入され、レンズアレイ５０の側壁部５０Ａ、５０Ｂ、５０Ｂがそれぞれ取付部３７の縦壁部３７Ａ、３７Ｂ、３７Ｃに近接対向するように取り付けられる（図６参照）。レンズアレイ５０がカバー３６の取付部３７に取り付けられたときに、縦壁部３７Ｂ、３７Ｃの上縁部に形成された左右一対の突起３８がレンズアレイ５０の上面部５０Ｄに形成された窪み部５８に係合される。縦壁部３７Ｂ、３７Ｃの左右一対の突起３８がレンズアレイ５０の窪み部５８に係合されることで、光コネクタ２２のフェルール７２をカバー３６に装着するときに、フェルール７２に押されてレンズアレイ５０が複数の光素子３２と近接・後退する方向（上下方向）に煽られることよるレンズアレイ５０の位置ずれが抑制されるようになっている。
【００３９】
図９および図１０に示されるように、レンズアレイ５０の下面部５０Ｃには、モジュール基板３０の複数の光素子３２およびＩＣ３４との干渉を避けるための凹状部６０が形成されている。凹状部６０は、レンズアレイ５０の上下方向に配置された３段の段差部を備えている。レンズアレイ５０の下面部５０Ｃには、凹状部６０の長手方向両側に突出するように傾き規制部としての左右一対の脚部６２が設けられている。図１１に示されるように、脚部６２は、モジュール基板３０上のＩＣ３４が設けられた側のレンズアレイ５０の下面部５０Ｃに形成されている。脚部６２の端面６２Ａは平面状に形成されており、レンズアレイ５０の取付部３７への取付時に、脚部６２の端面６２Ａがモジュール基板３０の一面（表面）と近接するように配置される。光コネクタ２２のフェルール７２をカバー３６に装着するときに、レンズアレイ５０の脚部６２の端面６２Ａがモジュール基板３０の一面（表面）と接触することにより、フェルール７２に押されてレンズアレイ５０が傾き又は転倒することが抑制されるようになっている。
【００４０】
図６に示されるように、レンズアレイ５０の側壁部５０Ａとカバー３６の縦壁部３７Ａとの間、およびレンズアレイ５０の側壁部５０Ｂ、５０Ｂとカバー３６の縦壁部３７Ｂ、３７Ｃとの間には接着剤が充填され、レンズアレイ５０がカバー３６の取付部３７に固定されている。レンズアレイ５０の側壁部５０Ａとカバー３６の縦壁部３７Ａとの間隔、およびレンズアレイ５０の側壁部５０Ｂ、５０Ｂとカバー３６の縦壁部３７Ｂ、３７Ｃとの間隔を所定の寸法に設定することで、接着剤の厚みを調整することができる。カバー３６とレンズアレイ５０の線膨張係数が異なるため、レンズアレイ５０の３面のすべてをカバー３６に密着させて固定することができない。このため、接着剤の厚みを適切に設定することで、十分な接着強度が得られると共に、レンズアレイ５０の位置変化が抑制され、接着剤の膨張によるクラックの発生が抑制されるようになっている。例えば、熱硬化性の接着剤を用いた場合、カバー３６の縦壁部３７Ａとレンズアレイ５０の側壁部５０Ａとの間はほぼ密着させる（接着剤の厚さを５０μｍ程度）こととし、カバー３６の縦壁部３７Ｂ、３７Ｃとレンズアレイ５０の側壁部５０Ｂとの間はリフロー加熱時のレンズアレイの変形を少なくするために、接着剤の厚さを約２００μｍとしている。
【００４１】
図４および図１２に示されるように、レンズアレイ５０のフェルール７２と対向する面には、左右一対の位置決めピン６４が突設されており、フェルール７２のレンズアレイ５０と対向する面に形成された左右一対の位置決め穴７３にそれぞれ嵌合されることで、フェルール７２とレンズアレイ５０が位置決めされるようになっている。フェルール７２は、矩形状に形成されており、テープファイバ７０の長手方向と直交するフェルール７２の両側面部には突出部７２Ａが形成されている。
【００４２】
レンズアレイ５０がカバー３６の取付部３７に接着剤により固定された状態で、カバー３６の取付部３７と連続する挿入部４０に、光コネクタ２２のフェルール７２が挿入され、レンズアレイ５０の位置決めピン６４にフェルール７２の位置決め穴がそれぞれ嵌合される。フェルール７２は、カバー３６の挿入部４０にクリップ８０により着脱可能に取り付けられるようになっている（図３参照）。
【００４３】
図４に示されるように、クリップ８０は、カバー３６の側面部からフェルール７２のテープファイバ７０側の面に架け渡される略Ｌ字状の左右一対の板バネ８０Ａと、左右一対の板バネ８０Ａの下部に連結された板状の連結部８０Ｂと、板バネ８０Ａの一端部に形成されカバー３６の凹部４４に係止されるフック状の係止部８０Ｃと、板バネ８０Ａの他端部に形成されフェルール７２のテープファイバ７０側の面に係止される湾曲面状の係止部８０Ｄと、を備えている。クリップ８０は、カバー３６の下方側から挿入され、図示しない治具を用いて係止部８０Ｃをカバー３６の凹部４４に係止し、係止部８０Ｄをフェルール７２のテープファイバ７０側の面に係止することで、フェルール７２をカバー３６に固定するようになっている。
【００４４】
次に、本実施形態の光モジュール１６が適用された並列光伝送装置１０の作用並びに効果について説明する。
【００４５】
図８に示されるように、カバー３６に形成された取付部３７にレンズアレイ５０が挿入され、レンズアレイ５０とカバー３６の取付部３７との間に接着剤が充填されて硬化されることで、レンズアレイ５０がカバー３６に固定されている。レンズアレイ５０がカバー３６の取付部３７に取り付けられた状態で、縦壁部３７Ｂ、３７Ｃの上縁部に形成された左右一対の突起３８が、レンズアレイ５０の上面部５０Ｄに形成された左右一対の窪み部５８に係合されている。その際、カバー３６の突起３８とレンズアレイ５０の窪み部５８との間にも接着剤が充填されている。接着剤を充填することで、レンズアレイ５０が前後への動きに強くなる。
【００４６】
カバー３６は、複数の光素子３２が搭載されたモジュール基板３０の一面（表面）上に調芯後に接着剤により接合される（図１２参照）。レンズアレイ５０とモジュール基板３０との間には接着剤が充填されて硬化させることで、レンズアレイ５０がモジュール基板３０に固定される。
【００４７】
レンズアレイ５０がカバー３６およびモジュール基板３０に接着剤により固定された状態で、カバー３６の取付部３７と連続する挿入部４０に光コネクタ２２のフェルール７２を挿入し、フェルール７２の位置決め孔にレンズアレイ５０の位置決めピン６４に嵌合させる。そして、図示しない治具によりクリップ８０の係止部８０Ｃをカバー３６の凹部４４に係止させ、クリップ８０の係止部８０Ｄをフェルール７２のテープファイバ７０の面に係止させることで、フェルール７２がカバー３６に固定される（図３参照）。
【００４８】
このような光モジュール１６では、カバー３６の縦壁部３７Ｂ、３７Ｃの左右一対の突起３８が、レンズアレイ５０の左右一対の窪み部５８に係合されており、光コネクタ２２のフェルール７２をカバー３６に装着するときに、フェルール７２に押されてレンズアレイ５０が複数の光素子３２に対して上下方向（近接・後退する方向）に煽られることを抑制することができる。このため、レンズアレイ５０とカバー３６との接着剥離等によりレンズアレイ５０に位置ずれが発生することを抑制することができる。
【００４９】
また、光コネクタ２２のフェルール７２は、クリップ８０によりカバー３６のレンズアレイ５０に着脱可能に装着することができる。したがって、カバー３６の縦壁部３７Ｂ、３７Ｃの左右一対の突起３８がレンズアレイ５０の左右一対の窪み部５８に係合されていることで、クリップ８０によるフェルール７２の着脱時に、レンズアレイ５０が複数の光素子３２に対して上下方向に煽られることによるレンズアレイ５０の位置ずれを抑制することができる。
【００５０】
また、レンズアレイ５０がカバー３６の取付部３７に装着されたときに、レンズアレイ５０の下面部５０Ｃの両端部に形成された一対の脚部６２の端面６２Ａが、モジュール基板３０の一面（表面）と近接するように配置されている。このため、光コネクタ２２のフェルール７２をカバー３６に装着するときに、レンズアレイ５０の一対の脚部６２がモジュール基板３０の一面（表面）と接触することにより、フェルール７２に押されてレンズアレイ５０が傾き又は転倒することを抑制することができる。
【００５１】
さらに、レンズアレイ５０の横方向の側壁部５０Ａ、５０Ｂ、５０Ｂの３面がカバー３６の縦壁部３７Ａ、３７Ｂ、３７Ｃに接合されているため、レンズアレイ５０の位置ずれの発生をより確実に抑制できると共に、レンズアレイ５０とカバー３６との接合面積を広くすることができ、レンズアレイ５０からカバー３６への放熱を促進することができる。
【００５２】
さらにまた、レンズアレイ５０の側壁部５０Ａとカバー３６の縦壁部３７Ａとの間隔、およびレンズアレイ５０の側壁部５０Ｂ、５０Ｂとカバー３６の縦壁部３７Ｂ、３７Ｃとの間隔を所定の寸法に設定することで、これらの間に充填される接着剤の厚みを調整することができる。接着剤の厚みを適切に設定することで、レンズアレイ５０とカバー３６の十分な接着強度が得られると共に、レンズアレイ５０の位置変化が抑制され、接着剤の膨張によるクラックの発生を抑制することができる。
【００５３】
なお、上記実施形態では、カバー３６の縦壁部３７Ｂ、３７Ｃの上縁部に係合部としての左右一対の突起３８を設け、レンズアレイ５０の上面部５０Ｄに被係合部としての左右一対の窪み部５８を設けたが、これに限定されず、例えば、カバー３６の縦壁部３７Ｂ、３７Ｃの中間部に左右一対の突起を設け、レンズアレイ５０の縦壁部の中間部に左右一対の溝部を設け、突起を溝部に係合させる構成でもよい。さらに、カバー３６に形成された係合部がレンズアレイ５０に形成された被係合部に係合されてレンズアレイ５０の上下方向の煽り（位置ずれ）を抑制できる形状であれば、係合部と被係合部は他の形状に設定してもよい。
【００５４】
なお、上記実施形態では、レンズアレイ５０の下面部に傾き規制部としての脚部６２を設け、レンズアレイ５０をカバー３６の取付部３７に取り付けた状態で脚部６２の端面６２Ａをモジュール基板３０に上面に近接させたが、これに限定させず、レンズアレイ５０をカバー３６の取付部３７に取り付けた状態で脚部６２の端面６２Ａをモジュール基板３０に接触させてもよい。このとき、脚部６２は弾性変形可能な部材で形成することが望ましい。また、レンズアレイ５０の傾き又は転倒を抑制できる形状であれば、傾き規制部は本実施形態の脚部６２に限定されず、他の形状でもよい。
【００５５】
なお、上記実施形態では、送信側の光モジュール１６について説明したが、受信側の光モジュール１８に本発明を適用することができる。
【符号の説明】
【００５６】
１０   並列光伝送装置
１６   光モジュール
２２   光コネクタ（光伝送体）
３０   モジュール基板（基板）
３２   光素子
３６   カバー（保持部材）
３７   取付部
３７Ａ 縦壁部（取付部用接合面）
３７Ｂ 縦壁部（取付部用接合面）
３７Ｃ 縦壁部（取付部用接合面）
３８   突起（係合部）
４０   挿入部
５０   レンズアレイ（光結合素子）
５０Ａ 側壁部
５０Ｂ 側壁部
５０Ｃ 下面部（基板と対向する面）
５８   窪み部（被係合部）
６２   脚部（傾き規制部）
７０   テープファイバ（光伝送体）
【図１】
2011247952.tif 000003
【図２】
2011247952.tif 000004
【図３】
2011247952.tif 000005
【図４】
2011247952.tif 000006
【図５】
2011247952.tif 000007
【図６】
2011247952.tif 000008
【図７】
2011247952.tif 000009
【図８】
2011247952.tif 000010
【図９】
2011247952.tif 000011
【図１０】
2011247952.tif 000012
【図１１】
2011247952.tif 000013
【図１２】
2011247952.tif 000014